(57)【特許請求の範囲】
【請求項１】
画像データを入力する画像入力手段と、
前記画像データに応じて、記録紙上に画像を形成する際の記録材の載り量を計算する演算手段と、
前記載り量に従い、階調重視の色域圧縮を行う変換特性と色味重視の色域圧縮を行う変換特性を合成した変換特性を作成する変換特性作成手段とを有することを特徴とする画像処理装置。
【請求項２】
前記変換特性作成手段は、前記画像データの全画素数に対する前記画像データにおける所定の載り量以上の画素の割合を算出し、前記割合に応じて、前記合成は行なわれることを特徴とする請求項１項記載の画像処理装置。
【請求項３】
前記画像データは、オブジェクト単位で区別され、
前記演算手段による計算の結果は、該オブジェクトに占める所定の載り量以上の画素の全画素に対する比に従い、前記合成は行なわれることを特徴とする請求項１項記載の画像処理装置。
【請求項４】
前記変換特性は、通常の画像形成に比べ、低い載り量による画像形成を行う指示が行なわれた場合に作成されることを特徴とする請求項１項記載の画像処理装置。
【請求項５】
前記変換特性は格子点からなる色変換テーブルであって、前記合成は階調重視の色変換テーブルの格子点に格納された信号と色味重視の色変換テ−ブルに格納された信号を、前記載り量に従い重み付け加算することで求められることを特徴とする請求項１項記載の画像処理装置。
【請求項６】
前記演算手段は、前記画像入力手段により入力された画像データに間引きを行ったデータに載り量を計算することを特徴とする請求項１項記載の画像処理装置。
【請求項７】
前記割合が大きいほど、前記階調重視の色域圧縮を行う変換特性の重みを前記色味重視の色域圧縮を行う変換特性の重みより多くした合成を行うことを特徴とする請求項２項記載の画像処理装置。
【請求項８】
前記オブジェクトに占める所定の載り量以上の画素の全画素に対する比が大きいほど、前記階調重視の色域圧縮を行う変換特性の重みを前記色味重視の色域圧縮を行う変換特性の重みより多くした合成を行うことを特徴とする請求項３項記載の画像処理装置。
【請求項９】
さらに、前記作成された変換特性により、前記画像データを変換する変換手段とを有することを特徴とする請求項１または２項記載の画像処理装置。
【請求項１０】
画像データを入力し、
前記画像データに応じて、記録紙上に画像を形成する際の記録材の載り量を計算し、
前記載り量に従い、階調重視の色域圧縮を行う変換特性と色味重視の色域圧縮を行う変換特性を合成した変換特性を作成することを特徴とする画像処理方法。
【請求項１１】
コンピュータを請求項１乃至９のいずれか一項に記載された画像処理装置として機能させるためのプログラム。
【発明の詳細な説明】
【技術分野】
【０００１】
本発明は、載り量に応じた画像変換を行なう画像処理装置、画像処理方法およびプログラムに関するものである。
【背景技術】
【０００２】
近年、レーザービームプリンタ（ＬＢＰ）等の電子写真方式を用いた画像形成装置において、ホストコンピュータやプリンタの画像生成部であるコントローラ等の高性能化により、従来からのモノクロ印刷のみならず、カラー印刷も広く普及してきている。しかし、従来のモノクロ印刷に比べ、カラー印刷は、ＣＭＹＫ（シアン、マゼンダ、イエロー、ブラック）等の複数の色材を重ね合わせて画像形成を行う。このとき、複数の色材を転写紙上に定着、転写する定着性・転写性の問題から、転写紙に載せる色材の量（以下、載り量と呼ぶ）をある一定の値に制限する必要がある。載り量値は、印字出力可能な色再現領域や、印刷画像のグロス感に影響してくるため、高画質を維持する為には十分な量を必要とする。しかし一方で、載り量値によって、定着時に必要となる消費電力の増加や、定着時間の増加によるプリント速度の低下、転写紙の違いによるプロセス設計の変更など、エンジン設計に様々な制約を与える要因となっている。そこで、エンジン設計の自由度を向上させ、メディア対応や省エネ効果あるいは高いスピード性能を持つために、色材を転写紙に載せる量を通常より低く設定した場合（以下、低載り量と呼ぶ）でも高画質を維持できる技術が検討されている。
【０００３】
低載り量でも通常に近い画質を維持するためには、主に色味と階調性の両面において通常の載り量を用いた画質可能な限り同等にしなければならない。しかしながら、先述したように、低載り量では通常の載り量に比べて色再現領域が狭く、通常の色味を保持すれば階調がつぶれ、通常の階調を保持すれば色味が劣化する傾向になるため、この両面を満たすことは難しいという問題がある。
【０００４】
通常、入力画像を表現している色空間（例えば、モニタにより表示を行なっている場合、モニタ依存の色空間）と画像出力装置の色再現領域とは異なっており、画像入力装置の方が広い色再現領域を有する。つまり、入力画像には画像出力装置側で再現できない色が含まれており、画像出力装置の色再現領域外にある画像データを圧縮して色再現領域内に収める必要がある。そこで従来では、入力画像を表現している色空間を、良好な色再現を維持しながら、画像出力機器の色再現領域へ圧縮する技術として、次のような方式が提案されている。
【０００５】
まず、入力された画像データに対して色域を解析する。その後、あらかじめ複数用意された色空間の中から、入力画像の色域を表現可能で、かつできるだけ狭い色空間に変換する。次に、変換された色空間にはあらかじめ色域圧縮パラメータが用意されており、この色域圧縮パラメータを用いて、画像出力機器の色再現領域へ圧縮するというものである。これにより、色域圧縮の程度を小さくすることが出来、より良好な色再現を得ることが出来る効果がある（例えば、特許文献１参照）。
【特許文献１】特開２００６−１７３８２７号公報
【発明の開示】
【発明が解決しようとする課題】
【０００６】
しかしながら、従来技術では、選別された色空間内における入力画素の分布の偏りに関しては考慮していないという問題がある。これにより、入力画像によっては、画質に直接関わりの薄い少数の画素のためだけに、広い色空間を選択し色域圧縮を行う恐れがある。また、あらかじめ用意された色空間毎に色域圧縮パラメータを用意しなければならない問題がある。さらに、低載り量では、通常の載り量に比べて画像出力機器の色再現領域が狭くなる。そのため、通常の色味を優先して、低載り量化すれば階調がつぶれ、通常の階調を優先して、低載り量化すれば色味が劣化する傾向になり、高画質を維持する為には色域圧縮の手法に関しても工夫をしなければならない問題がある。
【０００７】
本発明は、上記問題点に鑑みてなされたものであり、画像データの載り量に基づき階調重視の変換特性と色味重視の変換特性を合成した変換特性により変換をおこなう。その結果、例え低載り量でも、色味と階調性の両面において画質が劣化するのを抑え、通常の載り量を用いた画質に近い色再現を得ることを目的とする。
【課題を解決するための手段】
【０００８】
上記した目的を達成するために、次のような発明を提案する。本発明に係る第１の発明は、画像データを入力する画像入力手段と、前記画像データに応じて、記録紙上に画像を形成する際の記録材の載り量を計算する演算手段と、前記載り量に従い、階調重視の色域圧縮を行う変換特性と色味重視の色域圧縮を行う変換特性を合成した変換特性を作成する変換特性作成手段とを有することを特徴とする。
【発明の効果】
【０００９】
本発明によれば、例え低載り量でも、色味と階調性の両面において画質が劣化するのを抑えることが出来る。これにより、通常の載り量を用いた画質に近い、良好な色再現を得ることができる。
【発明を実施するための最良の形態】
【００１０】
以下、本発明の実施形態についての説明をする。ここでは説明の簡略化の為に、低い載り量を１００％載り量と定義し、通常の載り量を２００％載り量と定義することにする。
【実施例１】
【００１１】
図１は、本発明の一実施形態を示す画像処理装置の構成を説明するブロック図である。装置例としては、例えばデジタル電子写真複写機、レーザープリンタ、ファクシミリといったトナーを用いて画像形成を行う電子写真式のカラーまたはモノクロの画像処理装置に対応する。
【００１２】
図１を参照して、１０１は画像データを入力する画像入力手段である。画像データの入力方法は、本発明に係る画像処理装置に接続されたＰＣ上でプリンタドライバ等のアプリケーションを通して送る方法であっても、スキャナユニットを用いることによりスキャンすることによって得る方法等、その手段は問わない。プリンタドライバにより得られる画像データは、ＰＤＬ（ページ記述言語）により記述されており、このＰＤＬを構成する各オブジェクトは、そのオブジェクットが図形（グラフィックス）であるか、文字である示す情報が付されている。
【００１３】
尚、スキャナにより得られた画像の場合には、その画像の画像データからエッジを検出し、そのエッジの連続性を調べることで、文字部、網点部、写真部等を特定できる。
【００１４】
１０２は画像情報生成手段であり、画像入力手段１０１から送信されてきたデータを処理し、図形や文字、イメージデータ等のオブジェクト単位で区別できるよう画像情報を生成する。
【００１５】
１０３はカラーマネージメント処理手段であり、ＬａｂやＸＹＺ色空間に代表されるデバイス非依存の色空間から、通常の載り量でのデバイス依存の色再現領域に色域圧縮を行う。このとき、画像情報生成手段１０２によって生成された画像情報によって、オブジェクト毎に色域圧縮の方法を変更することも可能である。色域圧縮の代表的な例として以下が挙げられる。
【００１６】
色味優先・・・（ディスプレイに表示された画像を処理対象とした場合、）色味をディスプレイなどの画面に近づける
色差最小・・・指定色をプリンタの色再現範囲内で正確に出力する
鮮やかさ優先・・・全体的に鮮やかな発色にする
１０４は低載り量判定手段であり、入力された画像に対して、低載り量を用いて出力するのか、通常の載り量を用いて出力するのかを判定する。
【００１７】
１０５は載り量判定色域圧縮手段であり、画像データの載り量分布に基づいて、特徴の異なる色域圧縮を施した色変換テーブルを組み合わせ、画像データに対して適応的に色変換テーブルを作成する。色変換テーブルには、代表的な色変換処理方法の１つである３次元ＬＵＴ（３次元ルックアップテーブル）などが用いられる。この方法は、ＲＧＢデータをＣＭＹＫデータに変換するための対応関係を表す検索表であり、Ｎ×Ｎ×Ｎ個の格子点で構成されるため、格子間隔を十分狭くしておけば、原理的には精度良く色変換を行うことが可能である。ただし、実際にはメモリ容量、処理スピード等の問題から、色変換する点が格子点に当たることは極めて稀なことから、３次元補間処理により、ＣＭＹＫを求めている（図２参照）。尚、この技術は公知のため詳細な説明は割愛する。
【００１８】
１０６は色変換処理手段であり、ここでは入力画像に対して、対象にしている画像処理装置に適したデータに変換する。例として、入力がＲＧＢデータであり、画像処理装置が一般的なＣＭＹＫのトナーを用いたカラープリンタである場合、ＲＧＢからＣＭＹＫへの変換処理やマスキング処理、ＵＣＲ（Ｕｎｄｅｒ  Ｃｏｌｏｒ  Ｒｅｍｏｖａｌ）処理はここで行われる。
【００１９】
１０７はγ補正処理部であり、色変換処理部１０４で処理されたデータに関して濃度特性の補正処理を行う。
【００２０】
１０８は疑似階調処理部であり、濃度補正されたデータはここで疑似階調処理が施される。なお、疑似階調処理には濃度パターン法、組織的ディザ法、誤差拡散法等さまざまな手法が提案されているが、本発明にはその手法は問わない。
１０９は画像出力部であり、画像処理が行われたデータを元に出力する。
【００２１】
図３は実施例１における、図１に示した載り量判定色域圧縮手段１０５の構成を説明するブロック図であり、図１と同一のものには同一の符号を付してある。
【００２２】
図３を参照して、２０１は載り量計算手段であり、画像データ（オブジェクト毎）に対して、全画素の載り量値を計算し載り量分布を求める。
【００２３】
２０２は載り量値保持手段であり、入力画像を構成しているデータ（例えばＲＧＢデータなど）に対する載り量値データを格納するものである。構成としては、図４のように各ＲＧＢの組み合わせを再現する場合、どれだけ載り量となるかをあらかじめ計算しておき、ＲＧＢを入力として、載り量を出力する３次元ＬＵＴを作成保持する方法が考えられる。また、注意すべきことは、載り量値保持手段２０２には、最大トナー載り量を２００％とした場合の画像信号に対するトナー載り量値が保持されている。
【００２４】
２０３は割合算出手段であり、載り量計算手段２０１によって計算された載り量分布を元に、既定の閾値を超える画素の占める割合を算出する。
【００２５】
２０４は作成手段であり、割合算出手段２０３より算出された割合を元に、画像データに適した新しい色変換テーブルを作成する。
【００２６】
２０５は色変換テーブル保持手段であり、作成手段２０４で新しい色変換テーブルを作成するための基礎となる、特徴の異なる複数の色変換テーブル（変換特性）を保持しておく。
【００２７】
図５は、画像処理装置により実行される実施例１の例示的な処理フローチャートである。
ステップｓ１１において、画像入力手段１０１を用いて、画像データを入力する。
ステップｓ１２において、画像情報生成手段１０２を用いて、画像入力手段１０１から送信されてきたデータを処理し、１ページ内総ての画像データに関して、図形や文字、イメージデータ等のオブジェクト単位で区別した画像情報を生成する。
【００２８】
ステップｓ１３において、カラーマネージメント処理手段１０３を用いて、デバイス非依存の色空間から、通常の載り量でのデバイス依存の色再現領域に色域圧縮を行う。このとき、画像情報生成手段１０２で生成された画像情報を元に、自動的もしくはユーザーが画像処理装置の操作部もしくはＰＣのドライバ上の不図示の操作部からの指示に応じてオブジェクト毎に色域圧縮の手法を変更してもよい。
【００２９】
ステップｓ１４において、低載り量判定手段を用いて、入力された画像に対して、低載り量を用いて出力するのか、通常の載り量を用いて出力するのかを判定する。ただし、出力方法に関しては、あらかじめユーザーによって決められているものとする。
【００３０】
ステップｓ１５において、載り量計算手段２０１を用いて、まず画像情報生成手段１０２で生成された画像情報を元に、オブジェクト単位の画像データに対して、各画素の例えばＲＧＢ信号を取り出す。次に、各画像信号を対して、載り量値保持手段２０２に保持されている載り量値データを用いてトナー載り量値を計算し、各画像信号の載り量値の総和を求める。即ち記録紙上に画像を形成する際に記録材（トナー）の載り量が計算される。以上の操作を画像データの全画素に対して繰り返し行い、オブジェクト単位に画像データに対してのトナー載り量分布を計算する（図６参照）。
【００３１】
ステップｓ１６において、割合算出手段２０３は、載り量計算手段２０１で計算されたトナー載り量分布を元に、所定の載り量である１００％載り量を超える画素の占める割合を、例えば以下のような式で算出する。
【００３２】
割合α＝（１００％載り量を超える画素数）／（画像データの全画素数）
この割合αが意味することは、２００％載り量に比べて１００％載り量で出力すると、全画素に対してどれくらいの割合で画質が劣化する可能性があるかを表している。つまり、割合αが０に近い程、１００％載り量を超える画素が少ない為、１００％載り量で出力しても２００％載り量と同等の色味と階調性が得られることになる。しかし割合αが１に近い程、２００％載り量と同等の画質を維持することは難しく、色味と階調性のバランスを保つ為に画質を劣化させなければならない（図６参照）。ただし、割合αを上記の式より求めるのではなく、例えばユーザーが割合αを操作部から設定し、次のステップｓ１７において複数の色変換テーブルの組み合わせ方を任意に変更できるようにしてもよい。また、低載り量を１００％載り量と設定している為、既定の載り量値を１００％載り量とし、１００％載り量を超える画素の占める割合を算出しているが、低載り量の設定によって既定の載り量値を変更する必要がある。
【００３３】
ステップｓ１７において、割合算出手段２０３で算出された１００％載り量を超える画素の占める割合を元に、色変換テーブル保持手段２０５に格納されてある複数の色変換テーブルを組み合わせ、画像データに適した色変換テーブルを作成する。ここでは、色変換テーブル保持手段２０５に、階調重視と色味重視の２種類の色域圧縮を施した色変換テーブルを格納しておく。階調重視と色味重視の２種類の色域圧縮に関して、詳細を次で説明する。
【００３４】
図７より、階調重視の色域圧縮とは、２００％載り量の色再現領域から１００％載り量の色再現領域へ色域圧縮を行う際に、色の階調を保持しつつ色域を圧縮する手法である。具体的には、Ｃｙａｎ、Ｍａｇｅｎｔａ、Ｙｅｌｌｏｗの１次色に関しては、１００％載量で最大色域まで確保できるので、通常の２００％載量の色相／彩度を保持する。次に、Ｒｅｄ、Ｇｒｅｅｎ、Ｂｌｕｅの２次色に関しては、ＣＭＹの２色材を用いて色再現されるので１００％載量を超える画素がある。そこで２次色については２００％載量の色域から１００％載量の色域に色と色の相対関係を維持しながら圧縮する。これより、色の階調をきれいに再現することが出来る。しかし、一律に圧縮するため、１００％載量色再現領域内の色に関しても色の鮮やかさが低下し、かつ、色が薄くなってしまう傾向にある。
【００３５】
図８より、色味重視の色域圧縮とは、２００％載り量の色再現領域から１００％載り量の色再現領域へ色域圧縮を行う際に、１００％載量の色再現領域内の色味をできるだけ保持しつつ色域圧縮する手法である。具体的には、Ｃｙａｎ、Ｍａｇｅｎｔａ、Ｙｅｌｌｏｗの１次色に関しては、１００％載量で最大色域まで確保できるので、階調重視と同様に通常の２００％載量の色相／彩度を保持する。次に、２次色については１００％載量色再現領域内にある色空間を定め、その色空間の内にある色に関しては色味を保持し、色空間の外にある色に関しては強圧縮（１００％載量に応じた色空間の表面にマップ）する。これより、色空間の内にある色に関しては、通常の画質に近い色味を再現することができる。しかし、色空間の外にある色に関しては強圧縮するため、階調が潰れてしまう傾向にある。
【００３６】
次に、１００％載り量を超える画素の占める割合を元に、階調重視と色味重視の２種類の色域圧縮を施した色変換テーブルを組み合わせる方法を説明する。図９が表すように、それぞれの色変換テーブルの同じ入力ＲＧＢ値に対応する格子点に格納されているＣＭＹＫデータを、ステップｓ１６で算出した１００％載り量を超える色の占める割合に従い線形演算（重み付け加算）する。その結果、色変換テーブルを組み合わせる（合成する）ことができる。つまり、新しい色変換テーブルの格子点に格納されるＣＭＹＫデータを以下の重み付け加算式で算出し、画像データに適した新しい色変換テーブルを作成する。
【００３７】
新色変換テーブル［Ｒ，Ｇ，Ｂ］＝色味重視［Ｒ，Ｇ，Ｂ］＊（１−α）＋階調重視［Ｒ，Ｇ，Ｂ］＊α
これにより画像データの特徴を活かし、画像データの載り量分布に基づいて特徴の異なる色域圧縮を組み合わせることにより、載量制限をした上で、色味と階調性の両面において画質が劣化を抑えることが出来る。
【００３８】
ステップｓ１８において、色変換手段１０６を用いて、ステップｓ１７で作成した色変換テーブルを元に、入力画像の色変換処理を実行する。
【００３９】
ステップｓ１９において、γ補正処理手段１０７と擬似階調処理手段１０８を用いて、濃度補正と擬似階調処理を実行し、ステップｓ２０において、画像出力手段１０９を用いて、出力する。
【００４０】
尚、上記実施例ではオブジェクト単位に載り量を算出、割合に応じた色変換テーブルの合成を行ったが、オブジェクト毎ではなく画像全体の画像データから載り量を算出、割合に応じた色変換テーブルの合成を行ってもよい。
【実施例２】
【００４１】
本発明の一実施形態を示す画像処理装置の主なる構成は実施例１と同様であるが（図１参照）、載り量判定色域圧縮手段１０５の構成において、画像間引き手段が追加されている点で異なる。以後、詳細を説明する。
【００４２】
図１０は実施例２における、図１に示した載り量判定色域圧縮手段１０５の構成を説明するブロック図であり、図１と同一のものには同一の符号を付してある。
【００４３】
図１０を参照して、３０１は画像間引き手段であり、低載り量判定手段によって、低載り量で印刷すると判定された場合に、入力された画像データの全体もしくは一部に対して、既定の間隔で画像データの間引き処理を行う（図１１参照）。
【００４４】
３０２は載り量計算手段であり、前記画像間引き手段３０１を用いて、間引かれた画素に対して、載り量値を計算し載り量分布を求める。
【００４５】
３０３は載り量値保持手段であり、入力画像を構成しているデータ（例えばＲＧＢデータなど）に対する載り量値データを格納するものである。
【００４６】
３０４は割合算出手段であり、載り量計算手段３０２によって計算された載り量分布を元に、既定の閾値を超える画素の占める割合を算出する。
【００４７】
３０５は作成手段であり、割合算出手段３０４より算出された割合を元に、画像データに適した新しい色変換テーブルを作成する。
【００４８】
３０６は色変換テーブル保持手段であり、作成手段３０５で新しい色変換テーブルを作成するための基礎となる、特徴の異なる複数の色変換テーブルを保持しておく。
上述した３０２〜３０６は、実施例１の２０１〜２０５と同様である。
【００４９】
図１２は、画像処理装置により実行される実施例２の例示的な処理フローチャートである。主なる処理フローは実施例１と同様であるが（図５参照）、画像間引き手段３０１を用いて、オブジェクト単位の画像データに間引き処理を施している点で異なる。詳細の説明を以後行う。
【００５０】
ステップｓ２１〜ｓ２４は、実施例１のｓ１１〜ｓ１４と同様である。
ステップｓ２５において、画像情報生成手段１０２で生成された画像情報を元に、オブジェクト単位の画像データに対して、既定の間隔で画像データの間引き処理を行う。これにより、全画素に対して載り量値を計算し載り量分布を求めるのではなく、間引かれた画素に対してのみ載り量値を計算し載り量分布を求めるので、処理速度などを向上させることが出来る。しかしながら、全画素の載り量値を反映させることができないので、精度は落ちると考えられる（図１２参照）。
【００５１】
ステップｓ２６において、載り量計算手段３０２を用いて、まず画像間引き手段３０１で間引かれた画素に対して、例えばＲＧＢ信号などを取り出す。次に、各画像信号に対して、載り量値保持手段３０３に保持されている載り量値データを用いてトナー載り量値を計算し、各画像信号の載り量値の総和を求める。以上の操作を間引かれた全画素に対して繰り返し行い、トナー載り量分布を計算する（図１２参照）。
ステップｓ２７〜ｓ３１は、実施例１のｓ１６〜ｓ２０と同様である。
【００５２】
〔本発明の他の実施形態〕
前述した実施形態の機能を実現するように前述した実施形態の構成を動作させるプログラムを記憶媒体に記憶させ、該記憶媒体に記憶されたプログラムをコードとして読み出し、コンピュータにおいて実行する処理方法も上述の実施形態の範疇に含まれる。また、前述のプログラムが記憶された記憶媒体はもちろんそのプログラム自体も上述の実施形態に含まれる。
【００５３】
かかる記憶媒体としてはたとえばフロッピー（登録商標）ディスク、ハードディスク、光ディスク、光磁気ディスク、ＣＤ―ＲＯＭ、磁気テープ、不揮発性メモリカード、ＲＯＭを用いることができる。
【００５４】
また前述の記憶媒体に記憶されたプログラム単体で処理を実行しているものに限らず、他のソフトウエア、拡張ボードの機能と共同して、ＯＳ上で動作し前述の実施形態の動作を実行するものも前述した実施形態の範疇に含まれる。
【図面の簡単な説明】
【００５５】
【図１】画像処理装置の構成を示す図
【図２】色変換テーブルの内部構造の例を示す図
【図３】実施例１に係る載り量判定色域圧縮手段１０５の構成を示す図
【図４】載り量値保持手段２０２の内部構造の例を示す図
【図５】実施例１に係る画像処理装置の例示的な処理フローチャート
【図６】実施例１に係る載り量計算手段２０１と割合算出手段２０２の処理を示す図
【図７】階調重視の色域圧縮の例を示す図
【図８】色味重視の色域圧縮の例を示す図
【図９】色変換テーブルを組み合わせる方法を示す図
【図１０】実施例２に係る載り量判定色域圧縮手段１０５の構成を示す図
【図１１】実施例２に係る画像間引き手段３０１と載り量計算手段３０２の処理を示す図
【図１２】実施例２に係る画像処理装置の例示的な処理フローチャート
【符号の説明】
【００５６】
１  １０１  画像入力手段
２  １０２  画像情報生成手段
３  １０３  カラーマネージメント処理手段
４  １０４  低載り量判定手段
５  １０５  載り量判定色域圧縮手段
６  １０６  色変換処理手段
７  １０７  γ補正手段
８  １０８  擬似階調処理手段
９  １０９  画像出力手段
１０  ２０１  載り量計算手段
１１  ２０２  載り量値保持手段
１２  ２０３  割合算出手段
１３  ２０４  作成手段
１４  ２０５  色変換テーブル保持手段
１５  ３０１  画像間引き手段
１６  ３０２  載り量計算手段
１７  ３０３  載り量値保持手段
１８  ３０４  割合算出手段
１９  ３０５  作成手段
２０  ３０６  色変換テーブル保持手段
【図１】
0004974853.tif 000002
【図２】
0004974853.tif 000003
【図３】
0004974853.tif 000004
【図４】
0004974853.tif 000005
【図５】
0004974853.tif 000006
【図６】
0004974853.tif 000007
【図７】
0004974853.tif 000008
【図８】
0004974853.tif 000009
【図９】
0004974853.tif 000010
【図１０】
0004974853.tif 000011
【図１１】
0004974853.tif 000012
【図１２】
0004974853.tif 000013